(57)【要約】      （修正有）【課題】地球温暖化の防止や省資源化を目標とするとともに、買い物袋をコンパクトに収納して携帯することが可能で、清潔に繰り返し使用可能で、繰り返し使用後は安全に廃棄処分可能な携帯用買い物具を提供する。【解決手段】軽くて柔軟丈夫で洗濯可能な材質からなる、折り畳み自在な買い物袋１とその買い物袋をコンパクトに折り畳んだ状態で収容することができる帯状のケース兼用把持部３を買い物袋の取手部を介して一体連結させる構造とすることにより、省資源化、携帯容易化および清潔に繰り返し使用し安全に廃棄処分することを可能とした。また、商品等収納後の持ち運び時の過重による手指の負担を和らげる効果とともに携帯用買い物具９の紛失防止にもつながるものである。【選択図】図１
0003142897.tif 000002
【実用新案登録請求の範囲】
【請求項１】
軽くて柔軟丈夫で洗濯可能で繰り返し使え、繰り返し使用後は安全に処分可能の材質からなる折り畳み自在構造の買い物袋１と該買い物袋１に取り付けられている取手２を介して該買い物袋１に取り付けられた該買い物袋１をコンパクトに折り畳んだ状態で収容可能構造の帯状のケース兼用把持部３とからなる携帯用買い物具９において、該帯状のケース兼用把持部３が携帯時は該買い物袋１を折り畳み収容可能な構造を有し、買い物袋１として使用時は該買い物袋１の取手部２に巻きつけ可能な構造であることを特徴とする携帯用買い物具。
【請求項２】
前記帯状のケース兼用把持部３は、一方の端部にはボタン５又は着脱自在な凸接着テープ７が取り付けられ、他方の端部には各々ボタン穴６又は凹接着テープ８が取り付けられ、中央部で固定可能で、さらに着脱自在構造であることを特徴とする請求項１記載の携帯用買い物具。
【考案の詳細な説明】
【技術分野】
【０００１】  本考案は、スーパーマーケットやデパート等で買った商品を収納するレジ袋等の代用品として用いて好適な携帯用買い物具に関するものである。
【背景技術】
【０００２】  昨今、地球温暖化が国際的な問題として懸念され、省資源化の要求が高まってきていて、スーパーマーケットやデパート等においては、無料で提供しているレジ袋等の有料化や廃止化が検討されている。
この対策として、市販のマイバッグやエコバッグ等と称されるレジ袋代用品も検討されているが、これらは何れも広げた状態で持ち運ぶので、嵩張る等の多くの問題が残る。【０００３】  さらに、買い物袋ケース専用把持部を利用した折り畳み携帯可能の携帯用買い物具の提案（例えば実用新案登録第３１３５４３９号参照）もされているが、携帯時の係合操作が複雑である等から、問題の解決には不十分であるといわざるをえない。
【考案の開示】
【考案が解決しようとする課題】
【０００４】  市販のマイバッグやエコバッグ等と称されるレジ袋代用品は、携帯時は広げた状態や他のカバン等に収納されて持ち運ばれている。
このために、広げた状態で持ち運ぶ不便さやカバンの中がかさばる等で利用を控えてしまうことが多く、急な買い物時等に適切に対応することできない。【０００５】  さらに前記のマイバッグ等は多くの買い物品等を収納できるので、持ち運び時、重くて手指に負担をかけるという問題もあり、このような実情をふまえ、コンパクトに収納して簡易に持ち運ぶことができ、さらに買い物品収納後も手指に対する負担を和らげる携帯用買い物具を提供すことを目的としている。
【課題を解決するための手段】
【０００６】  本考案の携帯用買い物具９は、上記課題を解決するために考案したもので、軽くて丈夫で柔軟そして洗濯可能で繰り返し使用可能で、または繰り返し使用後は安全に処分可能の素材からなり、折り畳み自在な買い物袋１またはバッグをコンパクトに折り畳み収容することが可能な帯状のケース兼用把持部３を備え、該買い物袋１またはバッグ等を携帯用に持ち運ぶ場合はコンパクトに折り畳んだ該買い物袋１またはバッグ等に取り付けた取手２を介して該ケース兼用把持部３内に収容し、買い物品等を該買い物袋１またはバッグに収納する場合は該ケース兼用把持部３内から取り出し、買い物品等を収納し、さらに該買い物袋１またはバッグに取り付けられた取手２部分に該ケース兼用把持部３を巻止めて緩衝部を形成し指の過重による負担を和らげる。【０００７】  本考案の携帯用買い物具９は、買い物品等を収納しない時には、コンパクトに折り畳みカバン等の隅または洋服のポケット等に、いつでも収容でき、急な買い物時にも適切に対応が可能となる。
また、買い物品等を収納する場合は、前記帯状のケース兼用把持部３を広げて買い物袋１またはバッグ等を取り出して広げるだけでよく、買い物品等を収納後は手指の負担を和らげるために該ケース兼用把持部３を該買い物袋１またはバッグ等の取手部２に巻きとめて緩衝部を形成して使用すればよいし、巻き止め使用により紛失も防がれる。
さらに、洗濯も可能であることから、繰り返し清潔に使用することも可能である。【０００８】  前記帯状のケース兼用把持部３は、買い物袋１に取り付けられたいずれか一つの取手２中央部に縫い付けられていて、該帯状のケース兼用把持部３の一方の端はボタン５または着脱自在の凸接着テープ７で、他方の端は各々ボタン穴６または着脱自在の凹接着テープ８等により前記買い物袋１またはバッグ等の取手部２に巻き止めて固定する構造であり、両端部を巻き合わせることにより該帯状のケース兼用把持部３の中に折り畳んだ該買い物袋１またはバッグ等を収容するこが可能である。
【考案の効果】
【０００９】  本考案の携帯用買い物具９は、簡易に買い物袋１またはバッグ等をコンパクトに折り畳んだ状態で帯状のケース兼用把持部３内に収容できる。
このため、収容された状態ではカバンやバッグまたは洋服のポケット等にいつでも手軽に収納可能で、携帯や持ち運びが容易で、急な買い物等に適切に対応が可能となる。
さらに、買い物品収納後も、該帯状のケース兼用把持部３材の緩衝効果により過重による手指への負担を和らげることも可能となる。
あわせて、緩衝部材として固定することにより紛失の可能性もなくなる。
【考案を実施するための最良の形態】
【００１０】  本考案の携帯用買い物具９は、軽くて柔軟丈夫で洗濯可能で繰り返し使用可能または繰り返し使用後は使い捨て可能材質からなる折り畳み自在な買い物袋１と緩衝効果のある材質からなりボタンまたは接着テープ等で巻き止め固定構造の帯状のケース兼用把持部３から構成されるものである。【００１１】  本考案の買い物袋１の材質としては、例えば水溶解性樹脂等の軽くて柔軟丈夫、洗濯可能、安全処分可能および折り畳み自在性を有すること等が求められる。
なお該買い物袋１の材質については、耐久性、耐水性、清潔性、耐熱性、易加工性および安全に処分可能等を考慮すればポリエチレンやポリプロピレン、ポリエステルなどのプラスチック等が好ましく選ばれるが、耐久性や耐水性等があり要求される機能を発揮するものであればその他のプラスチックや紙および布等でも問題はなく、特に限定されるものではない。
また、該買い物袋１には２個または２個以上の取手２を有することが求められる。【００１２】  本考案の帯状のケース兼用把持部３の材質としては、例えばウレタンゴム等の軟質ゴムやポリエチレンなどの軟質プラスチック等の耐久性があり、易加工性で緩衝効果のある弾性および柔軟性等を有することが求められる。
なお、該帯状のケース兼用把持部３の材質については、耐久性があり、易加工性で緩衝効果のある弾性および柔軟性等を有し、求められる機能を発揮するものであれば布および皮等でも問題なく、特に限定されるものではない。
また、帯状のケース兼用把持部３には、ボタンまたは接着テープ等の巻き止め固定具を有することも求められる。
なお、巻き止め固定具については、操作性が容易で機能を発揮するものであれば紐および環状連結具等でも問題はなく、特に限定するものではない。
【実施例】
【００１３】  本考案の携帯用買い物具９の一実施例について図面を参照して、以下に詳細に説明する。
図１は本考案に係る携帯用買い物具の全体斜視図であり、図２は買い物袋１の斜視図であり、買い物袋１と帯状のケース兼用把持部３とを買い物袋１に取り付けられた取手２を介して一体連結して携帯用買い物具を形成する。
図３は帯状のケース兼用把持部３の展開状態図であり、図３（Ａ）は巻き止め固定具がボタン５とボタン穴６との一例を、図３（Ｂ）は凸接着テープ７と凹接着テープ８との一例を示す展開図であり、図４は買い物品収納後の持ち運び時の斜視図である。【００１４】  本考案による携帯用買い物具９は、上記の構成であり、以下に使用方法について記す。
先ず、図１のコンパクトな状態でカバンまたは洋服のポケットに収納してスーパーマーケットやデパート等の買い物店に行き、買い物が済んだら、図１の状態から帯状のケース兼用把持部３の巻き止め固定を解除して、図２の買い物袋１を取り出し、買い物品を該買い物袋１に収納し、該買い物袋１に取り付けられた取手２を介して、展開している図３の帯状のケース兼用把持部３を巻き止め固定し、図４の状態で持ち運ぶ。
【図面の簡単な説明】
【００１５】
【図１】本考案の携帯用買い物具の一実施例の全体の斜視図である。
【図２】本考案の携帯用買い物具の買い物袋の一実施例の斜視図である。
【図３】本考案の携帯用買い物具の帯状のケース兼用把持部の（Ａ）は巻き止め固定具がボタンの例の、（Ｂ）は接着テープの例の展開図である。
【図４】買い物品収納買い物袋を持ち運ぶ場合の使用状態図である。
【符号の説明】
【００１６】  １  買い物袋
２  買い物袋に取り付けた取手
３  帯状のケース兼用把持部
４  帯所のケース兼用把持部の買い物袋に取り付けた取手との縫い付け部
５  巻き止め固定ボタン
６  巻き止め固定ボタン穴
７  巻き止め固定凸接着テープ
８  巻き止め固定凹接着テープ
９  携帯用買い物具
【図１】
0003142897.tif 000003
【図２】
0003142897.tif 000004
【図３】
0003142897.tif 000005
【図４】
0003142897.tif 000006